(57)【要約】  本発明は２つ又は３つ以上の巻線（５３ａ，５３ｂ）を有するリングコアチョークを受容するための保持体（１）に関する。該保持体は（１）は互いに向き合った旋回可能な側部片（１１，１２）を有している。この場合、該側部片（１１，１２）は有利には分離装置で、有利には互いにほぼ平行に固定可能である。さらに本発明は前記保持体（１）とチョークコイル（５３ａ，５３ｂ，５４）とを有する誘導的な構成部材に関する。
2008508733.tif 000002
【特許請求の範囲】
【請求項１】
１つのリングコア（５４）と少なくとも２つ巻線（５３ａ，５３ｂ）とを備えたリングコアチョーク（５）を受容するための保持体（１）であって、
中央部分（１０）を有しかつ該中央部分（１０）に結合された旋回可能な側部片（１１，１２）を有し、該側部片（１１，１２）が、リングコア（５４）の上の巻線（５３ａ，５３ｂ）を相互に電位隔離するためにそれぞれ１つの分離部材を有しており、前記側部片（１１，１２）が旋回させられて折畳まれた状態に該側部片（１１，１２）を固定する手段を有していることを特徴とする保持体。
【請求項２】
前記側部片（１１，１２）が互いに向き合って位置しかつ両側でリングコア（５４）に向かって旋回可能である、請求項１記載の保持体。
【請求項３】
前記側部片（１１，１２）が当該保持体（１）の一部によって互いに平行に保持される、請求項１又は２記載の保持体。
【請求項４】
前記側部片（１１，１２）が前記分離部材によって互いに平行に保持されている、請求項１から３までのいずれか１項記載の保持体。
【請求項５】
各分離部材が少なくとも２つの分離ウェブ（２１，２２，２３，２４）を有し、互いに向き合った前記側部片（１１，１２）の前記分離ウェブ（２１，２２，２３，２４）の長さが、前記側部片（１１，１２）が折畳まれた状態で互いに接触するように選択されている、請求項１から４までのいずれか１項記載の保持体。
【請求項６】
互いに向き合った前記側部片（１１，１２）の前記分離ウェブ（２１，２３；２２，２４）が互いに対応する固定装置（２１ａ，２３ａ）を有し、前記側部片（１１，１２）が折畳まれた状態で前記固定装置（２１ａ，２３ａ）が前記側部片（１１，１２）を相互に保持するために用いられている、請求項５記載の保持体。
【請求項７】
前記固定装置（２１ａ，２３ａ）がクランプ装置である、請求項６記載の保持体。
【請求項８】
前記固定装置（２１ａ，２３ａ）が係合装置である、請求項６記載の保持体。
【請求項９】
電気的な絶縁材料から成る表面を有している、請求項１から８までのいずれか１項記載の保持体。
【請求項１０】
前記中央部分（１０）に前記巻線（５３ａ，５３ｂ）の接続部（５１，５２，５２′）を通す開口（３１，３１′，３２，３２′）が設けられている、請求項１から９までのいずれか１項記載の保持体。
【請求項１１】
前記リングコアチョーク（５）受容するための凹部（１００）が前記中央部分（１０）に設けられている、請求項１から１０までのいずれか１項記載の保持体。
【請求項１２】
前記側部片（１１，１２）がその上に垂直に立つ壁（１１０，１１０′，１２０，１２０′）と共にハーフシェルを構成し、該ハーフシェルの開口が前記側部片（１１，１２）が折畳まれた状態で互いに向き合っている、請求項１から１１までのいずれか１項記載の保持体。
【請求項１３】
前記側部片（１１，１２）が折畳まれた場合に、互いに向き合った前記側片部（１１，１２）に所属する壁（１１０，１２０；１１０′、１２０′）が互いに接触する、請求項１２記載の保持体。
【請求項１４】
前記各側部片（１１，１２）と該側部片（１１，１２）に所属する分離部材とが一緒に一体構成されている、請求項１から１３までのいずれか１項記載の保持体。
【請求項１５】
誘導的な構成部材であって、請求項１から１４までのいずれか１項記載の保持体（１）と、１つの磁気的なリングコア（５４）及び少なくとも２つの巻線（５３ａ，５３ｂ）を備えたリングコアチョーク（５）とを有し、前記巻線（５３ａ，５３ｂ）が分離部材（２１，２２，２３，２４）によって互いに間隔をおいて保持されていることを特徴とする誘導的な構成部材。
【請求項１６】
前記リングコアチョーク（５）がその外套面で前記保持体（１）の前記中央部分（１０）の上に位置している、請求項１５記載の誘導的な構成部材。
【請求項１７】
前記分離部材を成す分離ウェブ（２１，２２，２３，２４）が前記各巻線（５３ａ）を近くにある単数又は複数の前記巻線から電気的に絶縁している、請求項１５又は１６記載の誘導的な構成部材。
【請求項１８】
前記リングコアチョーク（５）が前記保持体（１）に該保持体（１）の凹部（１６０）内に配置された接着剤で固定されている、請求項１５から１７までのいずれか１項記載の誘導的な構成部材。
【請求項１９】
前記保持体（１）の前記分離部材が前記リングコアチョーク（５）の中央の開口に導入されており、前記分離部材が前記リングコア（５４）の内周面にはばね弾性的に接触している、請求項１６から１８までのいずれか１項記載の誘導的な構成部材。
【請求項２０】
前記保持体（１）が前記リングコアチョーク（５）をほぼあらゆる側から取囲んでいる、請求項１５から１９までのいずれか１項記載の誘導的な構成部材。
【発明の詳細な説明】
【技術分野】
【０００１】
本発明はチョークコイルのための保持体に関する。さらに本発明は前記保持体とチョークコイルとを有するインダクタンスに関する。
【０００２】
刊行物ＤＥ３３３０８８１Ａ１号明細書からは、リングコアチョークのための保持体が公知である。この保持体は、２つのチョークコイルの間の電位を分離するための装置が上に固定された絶縁材プレートを成している。リングコアチョークは異なる巻線が空間的に互いに離されるように電位分離装置に差嵌められる。電位分離装置はウェブを有している。ウェブの外側の端縁はチョークの差嵌められたリングコアにばね弾性的に接触する。
【０００３】
本発明の課題は、複数の巻線を有するリングコアチョークにおいて巻線を相互に電位分離するために役立ちかつ簡単に製作できる、材料及び場所が節約された保持体を提供することである。
【０００４】
この課題は本発明によれば請求項１の特徴を有する保持体によって解決された。本発明の有利な構成は請求項２以降に記載してある。
【０００５】
本発明は、閉じられた磁石コア（有利にはリングコア、場合によってはギャップを有する）と少なくとも２つの巻線とを有するリングコアチョークを受容するための電気的に絶縁する保持を提供する。保持体は中央部分と該中央部分に結合された、旋回可能な側部片とを有している。さらに保持体は、側部片が折畳まれた状態で、該側部片を有利にはほぼ互いに平行に固定する手段を有している。側部片は、異なるリングコア区分に設けられたチョークの巻線を分離するためもしくは電位分離するために役立つ分離部材をそれぞれ１つ有している。
【０００６】
側部片は有利には互いに向き合って位置し、両側でリングコアに向かって旋回可能である。
【０００７】
さらに本発明は上記保持体と、１つのリングコア及び互いに分離される必要のある２つの巻線を備えたリングコアチョークとを有する誘導的な構成部材にも関する。
【０００８】
本発明は保持体が部分ケーシングとしての機能に加えて同時に、異なる巻線の間の電位分離手段としての機能を発揮するという利点を有している。本発明による保持体は材料を節減して、簡単に、例えば注型鋳造法で製造することができる。
【０００９】
本発明の有利な変化実施例では、保持体のすべてのエレメント、つまり中央部分、側部片、分離ウェブが場合によっては分離ウェブ内に構成された固定装置を含めて一体に構成されている。側部片は別の変化実施例では例えば係合によって固定されていることができる。
【００１０】
側部片は有利には保持体の1部によって、例えば分離部材によって互いに平行に保持されることができる。
【００１１】
各分離部材は有利な形式で少なくとも２つの分離ウェブを有している。互いに向き合った側部片の分離ウェブの長さは、側部片が折畳まれた場合に分離ウェブが互いに接触するように選択されている。分離ウェブは側部片の内側に配置されている。分離ウェブはリングコアの開口内へ押込まれる。この場合、分離ウェブの長手方向軸線は有利にはリングコアチョークの中央軸線に対し平行に配向されている。有利には分離ウェブの側縁もしくは周面の１領域はリングコアの内周面にばね弾性的に接触する。
【００１２】
互いに向き合う分離ウェブは互いに対応する固定装置、例えばクランプ装置又は有利には分離ウェブに形成された係合装置を有していることができる。
【００１３】
保持体の中央部分には有利には巻線の接続部を通すために透し孔が設けられている。この透し孔は相応する誘導的な構成部材のラスタ寸法を維持するために役立つ。
【００１４】
さらに保持体の中央部分には固定部材、例えばねじ又は固定ピンを受容する開口が設けられていることができる。この固定部材で前記構成部材はプリント配線板の上に固定されることができる。保持体の中央部分には有利にはリングコアチョークを受容する凹部が設けられていることができる。
【００１５】
側部片は、本発明の変化実施例では、側部片の上に垂直に位置する壁と一緒にハーフシェルを形成することができる。このハーフシェルの開口は側部片が折畳まれた状態で互いに向き合う。この場合には内部に配置されたコイルを有利にはあらゆる側から取囲みかつ特に接触防止体として適するケーシングが形成される。側部片とその上に立つ壁は有利には一体に構成される。
【００１６】
以下、本発明の実施例とそれに対応する図面とに基づき本発明を詳細に説明する。図面には概略的で、寸法的には正確でない図で本発明の種々の実施例が示されている。同じ部分又は同じ働きを有する部分は同じ符号で示されている。
【００１７】
図１Ａは本発明の保持体を上から見た図。
【００１８】
図１Ｂは図１Ａの側面図。
【００１９】
図１Ｃは図１Ａ，１Ｂのチョークコイルの保持体を下から見た図。
【００２０】
図２Ａは先きの図の保持体を側部片に対して横方向に見た正面図。
【００２１】
図２Ｂは前記保持体を側部片に対して平行な方向で見た図。
【００２２】
図３Ａは先きの図に示された保持体の一方の側部片を内側から見た、中央部分を側部片に対し平行に断面した図。
【００２３】
図３Ｂは先きの図に示した保持体を側部片に対して垂直に断面した概略図。
【００２４】
図４Ａから４Ｄまではリングコアチョークを先きの図による保持体に取付ける場合の取付け段階を示した図。
【００２５】
図５Ａは本発明による保持体とリングコアチョークとを有する誘導的な構成部材の正面図。
【００２６】
図５Ｂは図５Ａの誘導的な構成部材を内側から見た図。
【００２７】
図５Ｃは図５Ａ，５Ｂに示された誘導的な構成部分を側部片に対し横方向に断面して示した図。
【００２８】
図６Ａは本発明による別の保持体を上から見た図。
【００２９】
図６Ｂは図６Ａの保持体の側面図。
【００３０】
図６Ｃは図６Ａ，６Ｂの保持体を下から見た図。
【００３１】
図６Ｄは図６Ａから６Ｃまでの保持体を側部片に対し平行な方向で見た側面図。
【００３２】
図６Ｅは図６Ａから６Ｄまでに示された保持体の正面図。
【００３３】
図６Ｆは図６Ａから６Ｅまでに示された保持体を側部片に対し横方向で断面した横断面図。
【００３４】
図７は固定装置を有する分離ウェブを示した図。
【００３５】
図１Ａから３Ｂまでには、１つの中央部分１０と、互いに向き合って位置し、前記中央部分１０と結合された２つの側部片１１，１２とを有する本発明の保持体１の第１実施例が種々の方向から見て示されている。
【００３６】
図１Ａ、１Ｂ，６Ｂと６Ａにおいては、側部片１１，１２が折畳まれる前の状態の保持体が実線で示されている。これらの図においては破線では側部片１１，１２が折畳まれたあとの状態が示されている。
【００３７】
図１Ａには保持体１を上から見た概略的な平面図が示されている。図１Ｂには側部片１１と１２とが折畳まれた保持体１が示されている。
【００３８】
側部片１１，１２は折畳まれたあとでは互いにほぼ平行にかつ中間部分１０の面に対し垂直に位置している。中央部分１０にはリングコアチョーク５を受容するための凹部１００が構成されている。凹部１００は横断面で見て丸く−図３Ａと５Ｂを参照−かつ該凹部１００に配置しようとするリングコアチョークの形に適合させられている。
【００３９】
中央部分１０にはリングコアチョーク５の第１の巻線５３ａの接続部５２，５２′を受容するための開口３２，３２′が設けられている（図４Ａと５Ｂをも参照せよ）。さらに中央部分１０にはリングコアチョーク５の第２の巻線５３ｂの接続部５１を受容する開口３１，３１′が設けられている。開口３１，３１′，３２，３２′によってリングコアチョーク５を有する誘導的な構成部材のラスタ寸法が保証される。さらに中央部分１０にはスペーサ４が構成されている。これらのスペーサ４は、当該構成部材の保持体とその下に位置するシステム保持体、例えばプリント配線板との間に間隔を保ち、当該構成部材をシステム保持体の導体路とろう付けする際に発生するガスを逃がすことができるようになっている。スペーサ４は保持体の中央部分１０の突起として構成されていることができる。又、スペーサ４を個別の部材として構成しかつ中央部分１０に固定的に結合することもできる。
【００４０】
側部片１１は分離ウェブ２１，２２を有している。第２の側部片１２は同様に分離ウェブ２３，２４を有している。各側部片１１（もしくは１２）とこれに対応配置された分離ウェブ２１，２２（もしくは２３，２４）とは一緒に一体に構成されている。第１の側部片１１の分離ウェブ２１は第２の側部片１２の分離ウェブ２３に相当している。
【００４１】
分離ウェブ２２は分離ウェブ２４に相当している。側部片１１，１２が折畳まれた場合には分離ウェブ２１と２３（並びに２２と２４）は互いに向き合わされる。この場合分離ウェブは有利には互いに接触させられる。
【００４２】
分離ウェブ２１，２２，２３，２４によってはコアに並べて配置された巻線５３ａ，５３ｂが互いに間隔をおいて保持されかつ電気的に互いに絶縁される（図５Ｃ参照）。したがって分離ウェブ２１から２４によってリングコアチョーク５の種々の巻線５３ａ，５３ｂの間の電位分離が実現される。
【００４３】
図１Ｃには保持体１が下から見て概略的に示されている。図２Ａは図１から図１Ｃによる保持体を側部片１１に対し横方向で示した正面図である。図２Ｂには側部片１１，１２が折畳まれた状態で側持体１を側部片に対して平行な方向で見た側面図が示されている。図３Ｂには保持体１が側部片に対して横方向に断面されて示されている。
【００４４】
図３Ａは、側部片１１，１２に対して平行に中央部分１０を断面して、折畳まれた側部片１２の内側から保持体を見た図である。
【００４５】
図４Ａから４Ｄにはリングコアチョーク５を保持体１に取付ける場合の方法段階が概略的に示されている。
【００４６】
リングコアチョーク５は１つの磁気的なリングコア５４と２つの異なる巻線５３ａ，５３ｂ（図４Ａ）を有している。図５Ｂにはリングコアチョークの異なる巻線５３ａ，５３ｂがリングコアの異なる区分に取付けられることが示されている。第１の巻線５３ａは電気的な接続部５２と５２′とを有している。第２の巻線５３ｂは電気的な接続部５１を有している。
【００４７】
巻線５３ｂ，５３ａの接続部５１，５２，５２′は中央部分１０の開口３１，３２，３２′に通されている（図４Ｂ）。リングコアチョーク５はその周面で保持体１の中央部分１０の上に位置している。
【００４８】
次いで第１の側部片１１がマグネットコアの端面に向かって旋回させられる（図４Ｃ）。その際、分離ウェブ２１と２２がそれぞれマグネットコアの内周面にばね弾性的に接触するように分離ウェブ２１，２２はマグネットコアの内孔内へ導かれる。
【００４９】
図４Ｄには誘導的な構成部材、つまり保持体とその上に固定されたリングコアチョーク５とが側部片１１，１２に対して平行な方向で見た概略的な側面図で示されている。この構成部材の正面図は図５Ａに示されている。
【００５０】
誘導的な構成部材を内側から見た図は図５Ｂに示されている。凹部１００の横断面はマグネットコア５４の横断面に適合させられている。凹部１００内にはリングコアチョーク５を入れる前に有利には接着剤が施される。この接着剤でマグネットコア５４は保持体１の凹部１００内で固定される。
【００５１】
図５Ｃには先に述べた誘導的な構成部材が側部片１１，１２に対して横方向の概略的な横断面で示されている。
【００５２】
側部片１１，１２は有利には、折畳まれた状態で互いに平行に分離ウェブで保持される。側部片１１，１２は例えばマグネットコア５４における分離ウェブ２１から２４までのプレス嵌合により互いに平行に保持されることができる。この場合、分離ウェブ２１から２４はマグネットコア５４の内孔に分離ウェブがマグネットコアの内周面を押すように押込まれる。折畳みに際して側部片を固定するための別の可能性は、図７に示されている。リングコアチョーク５は保持体１の上に、凹部１００内に配置された接着剤によって固定されていることができる。
【００５３】
保持体１の分離部材はリングコアチョーク５の中央の開口内へ導入され、有利にはばね弾性的にリングコア５４の内周面に接触する。
【００５４】
図１Ａから３Ｂまでの保持体１は誘導的な構成部材の部分ケーシングを形成する。図６Ａから６Ｄには本発明による保持体の第２の有利な実施例が示されている。この実施例では保持体１は誘導的な構成部材のフルケーシングを形成している。
【００５５】
図６Ａでは保持体１が上から見て概略的な平面図で示されている。図６Ｂ，６Ｄ図には図６Ａによる保持体が概略的な側面図で示されている。図６Ｃには保持体１が下から見て概略的に示されている。図６Ｄには、側部片１１，１２が折畳まれた状態で側部片に対して平行な方向で見た側面図が示されている。図６Ｅには図６Ａから６Ｄまでの保持体が側部片１１に対し横方向に見て示されている。図６Ｆには側部片に対して横方向に断面して保持体１が示されている。
【００５６】
図６Ａからは側部片１１が３つの面に壁１１０，１１１，１１０′を備えていることが判る。この場合には壁１１０，１１０′，１１１は側部片１１の面に対し垂直に配置されている。側部片１１は壁１１０と１１０′と１１１と一緒に第１のハーフシェルを形成する。壁１１０と壁１１０′は第１のハーフシェルの互いに向き合った端面側の壁を成している。壁１１１は第１のハーフシェルの上方へ向けられた壁を成している。第２の側部片１２は同様に３つの壁１２０，１２０′と１２１とを備えている。壁１２０，１２０′，１２１は側部片１２の面に対し垂直に位置している。側部片１２は前記側壁と一緒に第２のハーフシェルを形成し、この第２のハーフシェルの形は有利には第１のハーフシェルに対し鏡像対称である。側部片１１，１２が折畳まれると壁１１０と１２０，１１０′と１２０′，１１１と１２１とは互いに向き合う。
【００５７】
中央部分１０、側部片１１，１２、分離ウェブ２１から２４までと壁１１０，１１０′，１１１，１２０，１２０′，１２１は有利には一緒に一体の部材として構成されている。
【００５８】
図６Ｄ，６Ｆからは側部片１１，１２が折畳まれた場合に、互いに向き合った側部片１１，１２に所属する壁１１１と１２１（並びに壁１１０と１２０）は互いに接触することが判る。
【００５９】
図７に示された本発明の変化実施例では互いに向き合った分離ウェブ２１，２３は付加的な固定装置２１ａ，２３ａ（この場合には係合部材）を備えている。この場合には異なる側部片は互いに掛止めされることができる。
【００６０】
本発明は図示の実施例又は所定の材料選択に限定されるものではない。提案した部材は任意の数と配置で互いに組合わされることができる。側部片を固定するための固定装置はクランプ装置であってもよい。又、本発明は円形の横断面を有するリングコアに限定されるものではない。
【図面の簡単な説明】
【００６１】
【図１Ａ】本発明による保持体の平面図。
【図１Ｂ】図１Ａの保持体の側面図面。
【図１Ｃ】図１Ａ，図１Ｂに示されたチョークコイルの保持体の下面図。
【図２Ａ】先行する図に示された保持体を側部片に対して横方向に見た正面図。
【図２Ｂ】保持体を側部片に対し平行に見た図。
【図３Ａ】先きに図示した保持体の中央部分を側部片に対し平行に断面して側部片の内側から見た図。
【図３Ｂ】先きの図に示した保持体を側部片に対し横方向に断面した概略図。
【図４Ａ】リングコアチョークを保持体に組込む場合の第１の組立段階を示した図。
【図４Ｂ】リングコアチョークを保持体に組込む場合の第２の組立段階を示した図。
【図４Ｃ】リングコアチョークを保持体に組込む場合の第３の組立段階を示した図。
【図４Ｄ】リングコアチョークを保持体に組込む場合の第４の組立段階を示した図。
【図５Ａ】本発明の保持体とリングコアチョークとを有する誘導的な構成部材の正面図。
【図５Ｂ】図５Ａの誘導的な構成部材を内側から見た図。
【図５Ｃ】図５Ａ，５Ｂの誘導的な構成部材を側部片に対し横方向に断面した横断面図。
【図６Ａ】本発明の保持体の別の実施例の平面図。
【図６Ｂ】図６Ａの保持体の側面図。
【図６Ｃ】図６Ａ，図６Ｂの保持体の下面図。
【図６Ｄ】図６Ａから図６Ｃに示した保持体を側部片に対し平行な方向で見た図。
【図６Ｅ】図６Ａから図６Ｄの保持体を側部片に対し横方向に見た正面図。
【図６Ｆ】図６Ａから図６Ｅまでの保持体を側部片に対して横方向に断面した横断面図。
【図７】固定装置を有する分離ウェブを示した図。
【符号の説明】
【００６２】
１  保持体
１０  保持体の中央部分
１１  保持体の第１の側部片
１２  保持体の第２の側部片
１００，１０１  リングコアチョークを受容する凹部
１１０  第１の側部片の端面側の壁
１１１  第１の側部片の上を向いた壁
１２０  第２の側部片の端面側の壁
１２１  第２の側部片の上を向いた壁
２１，２２  分離ウェブ
２３，２４  分離ウェブ
２１ａ  固定装置
２３ａ  固定装置
３２，３２′  開口
４  スペーサ
５  リングコアチョーク
５１  接続部
５２，５２′  接続部
５３ａ  第１の巻線
５３ｂ  第２の巻線
５４  マグネットリングコア
【図１Ａ】
2008508733.tif 000003
【図１Ｂ】
2008508733.tif 000004
【図１Ｃ】
2008508733.tif 000005
【図２Ａ】
2008508733.tif 000006
【図２Ｂ】
2008508733.tif 000007
【図３Ａ】
2008508733.tif 000008
【図３Ｂ】
2008508733.tif 000009
【図４Ａ】
2008508733.tif 000010
【図４Ｂ】
2008508733.tif 000011
【図４Ｃ】
2008508733.tif 000012
【図４Ｄ】
2008508733.tif 000013
【図５Ａ】
2008508733.tif 000014
【図５Ｂ】
2008508733.tif 000015
【図５Ｃ】
2008508733.tif 000016
【図６Ａ】
2008508733.tif 000017
【図６Ｂ】
2008508733.tif 000018
【図６Ｃ】
2008508733.tif 000019
【図６Ｄ】
2008508733.tif 000020
【図６Ｅ】
2008508733.tif 000021
【図６Ｆ】
2008508733.tif 000022
【図７】
2008508733.tif 000023
【国際調査報告】
2008508733.tif 000024
2008508733.tif 000025
2008508733.tif 000026
2008508733.tif 000027
2008508733.tif 000028
2008508733.tif 000029